(57)【特許請求の範囲】
【請求項１】
左右に隣り合う手摺支柱と両手摺支柱をつなぐ上下枠との間に手摺りガラスを嵌装してなる手摺りをベランダ等の堰壁に取り付けるにあたり、前後側壁と左右側壁とからなる中空角筒状支柱本体における前記左右側壁の少なくとも片方の側壁に手摺りガラス嵌合溝を凹設した手摺支柱を設けると共に、手摺支柱の支柱本体を嵌合させるホルダー部とこのホルダー部の下端から突出する棒状アンカー部材とからなる支柱取付用アンカーを設け、この支柱取付用アンカーの棒状アンカー部材の下端部を堰壁に固着し、前記支柱本体を前記支柱取付用アンカーのホルダー部に嵌合固定し、隣り合う手摺支柱間に配置した手摺りガラスの左右側端部を支柱本体の手摺りガラス嵌合溝に嵌合するようにし、
且つ前記支柱取付用アンカーのホルダー部は一対の太軸部と両太軸部をつなぐ板状部とで形成され、各太軸部には前記棒状アンカー部材を圧入的に螺嵌するための圧入螺嵌溝が全長にわたって形成されると共に、ホルダー部の左右側面には両太軸部と板状部とによって支柱本体の手摺りガラス嵌合溝に対応する凹条部が形成され、このホルダー部の前後側面が支柱本体の前後側壁内面に当接支持され、
更に前記支柱本体を前記ホルダー部に嵌合固定するに当って、該ホルダー部の全長にわたって形成される前記圧入螺嵌溝を利用して、該圧入螺嵌溝に支柱本体の側壁からビスをねじ込んで、支柱本体をホルダー部に固定するようにしたことを特徴とする手摺りの取付装置。
【請求項２】
手摺支柱は、中空角筒状支柱本体と、支柱本体の中空部に形成される支柱取付用アンカー嵌合部と、手摺りガラス嵌合溝と、手摺りガラスに水密当接するシール材を嵌合するシール材嵌合溝と、支柱本体を上枠にビス止めするためのビスホールとによって構成される請求項１に記載の手摺りの取付装置。
【発明の詳細な説明】
【技術分野】
【０００１】
本発明は、隣り合う手摺支柱と両手摺支柱をつなぐ上下枠との間に手摺りガラスを嵌装してなる手摺りをベランダ等の堰壁に取り付ける手摺りの取付装置に関する。
【背景技術】
【０００２】
手摺りガラスを備えた手摺支柱をベランダ等の堰壁に立設するのに、従来では、例えば下記特許文献１に記載されているように、内部にボルトねじ込み筒を軸方向に一体形成した角筒状手摺支柱の前記ボルトねじ込み筒にアンカーボルトの上端部側をねじ込んで固定して、このアンカーボルトの下端部側を手摺支柱の下端から突出させ、この手摺支柱下端から突出したアンカーボルトの下端部側を堰壁に穿設したアンカーボルト埋設用凹孔に接着剤を介して挿入することにより、手摺支柱を堰壁上に立設し、また隣り合う手摺支柱を上下枠によって連結している。そして、隣り合う手摺支柱間に亘って手摺りガラスを取り付けるにあたって、各手摺支柱の左右側面に、下記特許文献１には記載されていないが、手摺りガラスの左右端部を嵌合するための手摺りガラス嵌合枠を取り付け、しかして対向する手摺支柱に夫々取り付けてある手摺りガラス嵌合枠に手摺りガラスの左右端部を嵌合するようにしている。
【先行技術文献】
【特許文献】
【０００３】
【特許文献１】特開２００５−２２６３７６号公報
【発明の概要】
【発明が解決しようとする課題】
【０００４】
上記のような従来の手摺りの取付装置によれば、手摺支柱の下端部にアンカーボルトを直接固定し、このアンカーボルトの下端部を堰壁に固着していることから、アンカーボルトを堰壁に埋設固定した後で、角筒状手摺支柱の高さを微調整する必要が生じたときに、アンカーボルトが堰壁に固定されているため、アンカーボルトに対して角筒状手摺支柱を回転させると、手摺支柱の前後左右の向きが変わるためにその高さ調整ができなくなる。また、各手摺支柱の左右側面に手摺りガラスの左右端部を嵌合するための手摺りガラス嵌合枠を取り付けるようにするため、手摺りガラスの取付作業に非常に手間がかかるという問題がある。
【０００５】
本発明は、上記の課題に鑑み、アンカーを堰壁に埋設固定した後でも手摺支柱の高さ調整が簡単容易に行え、また手摺支柱の左右側面に手摺りガラス嵌合枠を取り付ける必要がなく、手摺りガラスの取付作業が容易に行える手摺りの取付装置を提供することを目的とする。
【課題を解決するための手段】
【０００６】
上記課題を解決するための手段を、後述する実施形態の参照符号を付して説明すると、請求項１に係る発明は、左右に隣り合う手摺支柱２，２と両手摺支柱２，２をつなぐ上下枠３，４との間に手摺りガラス５を嵌装してなる手摺りＴをベランダ等の堰壁１に取り付けるにあたり、前後側壁８ａ，８ａと左右側壁８ｂ，８ｂとからなる中空角筒状支柱本体８における前記左右側壁８ｂ，８ｂの少なくとも片方の側壁８ｂに手摺りガラス嵌合溝９を凹設した手摺支柱２を設けると共に、手摺支柱２の支柱本体８に嵌合させるホルダー部１０とこのホルダー部１０の下端から突出する棒状アンカー部材１１とからなる支柱取付用アンカーＫを設け、この支柱取付用アンカーＫの棒状アンカー部材１１の下端部を堰壁１に固着し、前記支柱本体８を前記支柱取付用アンカーＫのホルダー部１０に嵌合固定し、隣り合う手摺支柱２，２間に配置した手摺りガラス５の左右側端部を支柱本体８の手摺りガラス嵌合溝９に嵌合するようにし、且つ前記支柱取付用アンカーＫのホルダー部１０は一対の太軸部２０，２０と両太軸部２０，２０をつなぐ板状部２１とで形成され、各太軸部２０には前記棒状アンカー部材１１を圧入的に螺嵌するための圧入螺嵌溝２２が全長にわたって形成されると共に、ホルダー部１０の左右側面には両太軸部２０，２０と板状部２１とによって支柱本体８の手摺りガラス嵌合溝９に対応する凹条部３２が形成され、このホルダー部１０の前後側面１０ａ，１０ａが支柱本体８の前後側壁８ａ，８ａ内面に当接支持され、更に前記支柱本体８を前記ホルダー部１０に嵌合固定するに当って、該ホルダー部１０の全長にわたって形成される前記圧入螺嵌溝２２を利用して、該圧入螺嵌溝２２に支柱本体８の側壁８ａからビス１４をねじ込んで、支柱本体８をホルダー部１０に固定するようにしたことを特徴とする。
【０００８】
請求項２は、請求項１に記載の手摺りの取付装置において、手摺支柱２は、中空角筒状支柱本体８と、支柱本体８の中空部に形成される支柱取付用アンカー嵌合部１５と、手摺りガラス嵌合溝９と、手摺りガラス５に水密当接するシール材１６ａ，１６ｂを嵌合するシール材嵌合溝１７，１７と、支柱本体８を上枠３にビス１８止めするためのビスホール１９とによって構成されることを特徴とする。
【発明の効果】
【０００９】
上記解決手段による発明の効果を、後述する実施形態の参照符号を付して説明すると、請求項１に係る発明によれば、手摺支柱２の支柱本体８を嵌合させるホルダー部１０とこのホルダー部１０の下端から突出する棒状アンカー部材１１とからなる支柱取付用アンカーＫを設け、このアンカーＫの棒状アンカー部材１１の下端部を堰壁１に固着し、支柱本体８を支柱取付用アンカーＫのホルダー部１０に嵌合固定するようにしたから、支柱取付用アンカーＫを堰壁１に固着した後であっても、支柱本体８をホルダー部１０に対し適宜上下動させて固定することにより、手摺支柱２の高さ調整が可能となる。
【００１０】
また手摺支柱２は、前後側壁８ａ，８ａと左右側壁８ｂ，８ｂとからなる中空角筒状の支柱本体８からなるもので、この支柱本体８の左右側壁８ｂ，８ｂの少なくとも片方の側壁８ｂに手摺りガラス嵌合溝９を凹設しているため、手摺りガラス５を隣り合う手摺支柱２，２と上下枠３，４との間に嵌装するにあたって、従来のように手摺支柱の左右側面に手摺りガラス嵌合枠を取り付ける必要がなく、手摺りガラス５の左右両端部は、隣り合う支柱本体８，８の手摺りガラス嵌合溝９，９にそのまま嵌合させればよいから、手摺りガラス５の取付作業を迅速容易に行うことができる。
【００１１】
又、本発明によれば、支柱取付用アンカーＫのホルダー部１０は、一対の太軸部２０，２０と両太軸部２０，２０をつなぐ板状部２１とで形成され、ホルダー部１０の左右側面には両太軸部２０，２０と板状部２１とによって支柱本体８の手摺りガラス嵌合溝９に対応する凹条部３２が形成されていて、この凹条部３２が支柱本体８の手摺りガラス嵌合溝９に対し裏側から係合し、そしてホルダー部１０の前後側面１０ａ，１０ａが支柱本体８の前後側壁８ａ，８ａ内面に当接支持されるようになっているから、支柱本体８をホルダー部１０に嵌合固定させる時に支柱本体８がホルダー部１０に対してガタつくようなことなく、的確に安定良く嵌合固定させることができ、且つ該ホルダー部１０の前記凹状部３２に手摺りガラス嵌合溝９を凹設することができるため、この面からも、従来のように手摺支柱の左右側面に手摺りガラス嵌合枠を取り付ける必要がなく、手摺りガラス５を隣り合う支柱本体８，８の手摺り嵌合溝９，９にそのまま嵌合させればよいから、手摺りガラス５の取付作業を迅速容易に行うことができる。また、各太軸部２０にはボルトからなる棒状アンカー部材１１を圧入的に螺嵌するため  の圧入螺嵌溝２２が全長にわたって形成されているから、棒状アンカー部材１１をホルダー部１０に圧入螺嵌させることによって、棒状アンカー部材１１をホルダー部１０に対して強固に一体的に固定させることができると共に、ホルダー部１０の下端から棒状アンカー部材１１を必要な長さだけ突出させることができ、またその突出長さを変更調整することができる。
更に又、本発明によれば、前記支柱本体８を前記ホルダー部１０に嵌合固定するに当って、該ホルダー部１０の全長にわたって形成される前記圧入螺嵌溝２２を利用して、該圧入螺嵌溝２２に支柱本体８の側壁８ａからビス１４をねじ込んで、支柱本体８をホルダー部１０に固定するようになっているため、各手摺支柱２の立設高さを一様に揃えるために、支柱本体８のホルダー部１０に対する取付高さを調整変更する必要がある時は、ビス１４を前記圧入螺嵌溝２２から取り外せば、支柱本体８はホルダー部１０に対し上下動自在となるため、必要高さ位置で再びビス１４を支柱本体８からホルダー部１０の前記圧入螺嵌溝２２にねじ込むことによって、迅速、容易に且つ正確に各手摺支柱２の立設高さを一様に揃えることができる。
更には、前記ビス１３は、該ホルダー部１０の全長にわたって形成される前記圧入螺嵌溝２２を利用して、該圧入螺嵌溝２２に支柱本体８の側壁８ａからねじ込まれるようになっているため、ホルダー部１３に前記ビス１３をねじ込むためのビス孔を一々設ける必要がなく、それだけ安価に製作することができると共に、ホルダー部１０の外周面側に開口した圧入螺嵌溝２２にビス１４をねじ込むようになっているため、それだけ迅速且つ容易にねじ込むことが可能である。
【００１２】
請求項２に係る発明によれば、手摺支柱２は、中空角筒状支柱本体８と、支柱本体８の中空部に形成される支柱取付用アンカー嵌合部１５と、手摺りガラス嵌合溝９と、手摺りガラス５に水密当接するシール材１６ａ，１６ｂを嵌合するシール材嵌合溝１７，１７と、支柱本体８を手摺り笠木６（上枠）にビス１８止めするためのビスホール１９とからなるもので、手摺りガラス５の取付けにあたって、シール材嵌合溝１７，１７に室外側及び室内側のシール材１６ａ，１６ｂを嵌合しておけば、あとは手摺りガラス嵌合溝９に手摺りガラス５の左右端部を挿入すればよいから、手摺りガラス５の取付作業が容易となり、また支柱本体８に手摺り笠木６（上枠）を取り付ける場合には、その手摺り笠木６側からビス１８を支柱本体８のビスホール１９にねじ込めばよく、手摺り笠木６の取付けが容易となる。
【図面の簡単な説明】
【００１３】
【図１】(a) はベランダに設置された手摺りを屋外側から見た正面図、(b) は(a) の矢印Ａ−Ａ線拡大断面図である。
【図２】図１の(a) の矢印Ｂ−Ｂ線拡大断面図である。
【図３】手摺支柱側からホルダー部にビスをねじ込んだ状態を示す断面図である。
【図４】(a) は堰壁笠木の一部を示す平面図、(b) は堰壁笠木の横断面図である。
【図５】(a) は支柱本体の正面図、(b) は支柱本体の横断面図、(c) はホルダー部及びこれに取り付けられる棒状アンカー部材を示す正面図、(d) はホルダー部の横断面図である。
【図６】手摺りの取付方法の最初の段階を示す説明図である。
【図７】手摺りの取付方法の次の段階を示す説明図である。
【図８】手摺りの取付方法の最終段階を示す説明図である。
【発明を実施するための形態】
【００１４】
以下に本発明の好適な一実施形態を図面に基づいて説明すると、図１の(a) に示される手摺りＴは、建物のベランダの外縁部に沿って突設されたコンクリート製の堰壁１に手摺支柱２を一定間隔おきに立設し、左右に隣り合う手摺支柱２，２と両手摺支柱２，２どうしをつなぐ上枠３及び下枠４との間に手摺りガラス５を嵌装してなるもので、手摺支柱２の頂部は手摺り笠木６によって連結され、また上下枠３，４間には中枠７が介装されている。尚、この実施形態では、隣り合う手摺支柱２，２と、手摺り笠木６の下側に配設された上枠３及び堰壁１に近い下方の下枠４との間に手摺りガラス５を嵌装しているが、上枠３を省いて、手摺り笠木６を上枠として、この手摺り笠木６（上枠）及び下枠４と、隣り合う手摺支柱２，２との間に手摺りガラス５を嵌装する場合もある。また中枠７を省く場合もある。
【００１５】
手摺りＴの取付装置は、前後側壁８ａ、８ａと左右側壁８ｂ，８ｂとからなる中空角筒状支柱本体８における前記左右側壁８ｂ，８ｂの少なくとも片方の側壁８ｂに手摺りガラス嵌合溝９を凹設した手摺支柱２を設けると共に、この手摺支柱２を嵌合させるホルダー部１０とこのホルダー部１０の下端から突出する棒状アンカー部材１１とからなる支柱取付用アンカーＫを設け、この支柱取付用アンカーＫの棒状アンカー部材１１の下端部を、堰壁１に穿設したアンカー挿入穴１２に挿入して、接着剤１３により棒状アンカー部材１１をアンカー挿入穴１２に固着し、そうして手摺支柱２を支柱取付用アンカーＫのホルダー部１０に嵌合して、手摺支柱２からホルダー部１０にねじ込んだビス１４により手摺支柱２のホルダー部１０に固定し、隣り合う手摺支柱２，２間に配置した手摺りガラス５の左右端部を支柱本体８の手摺りガラス嵌合溝９に嵌合するようにしたものである。
【００１６】
上記取付装置の構造について図１〜図５を参照して詳しく説明すれば、手摺支柱２は、図１の(b) 、図３及び図５の(a) ，(b) から分かるように、前後側壁８ａ、８ａと左右側壁８ｂ，８ｂとからなる中空角筒状の支柱本体８と、この支柱本体８の中空部に形成される支柱取付用アンカー嵌合部１５と、手摺りガラス嵌合溝９と、この手摺りガラス嵌合溝９の入口部の室内外両側で、手摺りガラス５に水密当接する室外側及び室内側シール１６ａ，１６ｂを嵌合する両側一対のシール材嵌合溝１７，１７と、支柱本体８を手摺り笠木６に対してビス１８止めするためのビスホール１９とを備えており、そして図１の(b) に示すように、室外側のシール材嵌合溝１７に室外側シール材１６ａが嵌合され、室内側のシール材嵌合溝１７に室内側シール材１６ｂが嵌合されている。尚、図１に示すように、手摺りＴの端にある手摺支柱２の支柱本体８は、左右側壁８ｂ，８ｂの内側の側壁８ｂに手摺りガラス嵌合溝９を設け、内方にある手摺支柱２の支柱本体８は、左右両側壁８ｂ，８ｂに夫々手摺りガラス嵌合溝９を設けている。
【００１７】
支柱取付用アンカーＫのホルダー部１０は、図３及び図５の(c) ，(d) に示すように、一対の太軸部２０，２０と両太軸部２０，２０をつなぐ板状部２１とで形成され、各太軸部２０には、鋼製のボルトからなる棒状アンカー部材１１を圧入的に螺嵌するための圧入螺嵌溝２２が全長にわたって形成されると共に、ホルダー部１０の左右側面には両太軸部２０，２０と板状部２１とによって支柱本体８の手摺りガラス嵌合溝９に対応する凹条部３２が形成され、このホルダー部１０の前後側面１０ａ，１０ａが支柱本体８の前後側壁８ａ，８ａ内面に当接支持されるようになっている。
【００１８】
支柱取付用アンカーＫの棒状アンカー部材１１は鋼製のボルトからなるため、このボルトをアルミ押出形材からなるホルダー部１０の圧入螺嵌溝２２に圧入螺嵌することによって、ホルダー部１０に対し簡単に取付け固定することができる。この棒状アンカー部材１１としては、ボルト以外に、鉄筋などを用いることができるが、ホルダー部１０に対する取付けが面倒であるため、ボルトが好ましい。また、棒状アンカー部材１１としてボルトを用いた場合は、アンカー挿入穴１２に注入される接着剤の食い付きも良い。
【００１９】
図４の(a) は堰壁笠木２３の一部を示す平面図、(b) は堰壁笠木２３の横断面図である。この堰壁笠木２３は、アルミ押出形材によって形成された断面略下向きコ字状に長尺板材からなるもので、外側板部２３ｃを内側板部２３ｂよりも高くして天板部２３ａの屋内側が低くなるよう緩傾斜させることによって、天板部２３ａに水切り性をもたせている。この堰壁笠木２３の天板部２３ａには、図４の(a) に示すように、支柱取付用アンカーＫのホルダー部１０を挿通させるためにホルダー部１０の断面形状に対応する形状に開口形成されたホルダー部挿通用開口部２８が設けてある。また堰壁笠木２３の内側板部２３ｂ及び外側板部２３ｃの夫々下端部には内向きに突出する係止部２４，２５が形成されている。尚、支柱本体８の下端面８ｏは、堰壁笠木２３の天板部２３ａの水切り傾斜面に対応する傾斜面に形成されている（図２及び図８参照）。
【００２０】
堰壁笠木２３を堰壁１の頂部に取り付け固定する取付金物２６は、図２に示すように、ボルト挿通孔（図示せず）及び棒状アンカー部材挿通穴（図示せず）を設けた水平基片２６ａと、この水平基片１２ａの両端部から立ち上がる立上部２６ｂ，２６ｃと、両立上部２６ｂ，２６ｃから夫々垂下延設された内側及び外側支持片２６ｄ，２６ｅとからなる周知構造のもので、ステンレス等により形成される。
【００２１】
上記のような構成よりなる手摺りＴの取付方法について、図６〜図８を中心に他の図面を参照して説明すれば、先ず、図６の(a) に示すように、コンクリート製堰壁１の上面の手摺支柱立設箇所にドリル等によって２つのアンカー挿入穴１２，１２を穿設し、各アンカー挿入穴１２内に残っている砂塵等を排除した後、各アンカー挿入穴１２に接着剤１３を注入充填する。この接着剤１３としては、金属及びコンクリートに有効な普通の接着剤に限らず、例えばエポキシ樹脂のような熱可塑性樹脂を溶融したものでもよい。
【００２２】
それから、図６の(b) に示すように、堰壁１上面の、アンカー挿入穴１２の設けられていない所要箇所に取付金物２６を所定間隔おきにアンカーボルト２７によって取り付け、そしてこれらの取付金物２６に堰壁笠木２３を被嵌し、取付金物２６の内外支持片２６ｄ，２６ｅの夫々下端部を堰壁笠木２３の内外側板部２３ｂ，２３ｃの係止部２４，２５に係止させて固定し、図７に示す状態とする。この時、堰壁笠木２３は、ホルダー部挿通用開口部２８が堰壁１のアンカー挿入穴１２の真上に位置するように取り付ける。
【００２３】
しかして、図７及び図８に示すように、支柱取付用アンカーＫを堰壁笠木２３のホルダー部挿通用開口部２８に挿通して、棒状アンカー部材１１，１１を取付金物２６の棒状アンカー部材挿通穴（図示せず）から堰壁１のアンカー挿入穴１２，１２に挿入すると共に、ホルダー部１０の下端面１０ｏを取付金物２６の水平基片２６ａ上面に当接支持させる。棒状アンカー部材１１は、アンカー挿入穴１２に注入充填した接着剤１３によって、アンカー挿入穴１２に固着し、これによって支柱取付用アンカーＫを堰壁１上に鉛直状に立設固定する。
【００２４】
上記のように支柱取付用アンカーＫを堰壁１上に立設固定した後、図２に示すように、手摺支柱２を、支柱取付用アンカーＫーのホルダー部１０に嵌合して、支柱本体８の下端面８ｏを堰壁笠木２３の天板部２３ａの上面に当接支持させる。そして、図１の(b) 及び図３に示すように、支柱本体８の後側壁（屋内側側壁）８ａからビス１４を支柱取付用アンカーＫのホルダー部１０の上下複数箇所にねじ込んで、支柱本体８をホルダー部１０に固定する。これにより、手摺支柱２を堰壁１上に鉛直状に立設固定し、図２に示すような取付状態とする。この際に、各手摺支柱２の立設高さを一様に揃えるために、必要に応じて支柱本体８の取付高さを調整変更する時は、ビス１４を取り外せば、支柱本体８はホルダー部１０に対し上下動自在となるため、必要高さ位置で再びビス１４を支柱本体８からホルダー部１０にねじ込めばよい。
【００２５】
こうして手摺支柱２をコンクリート堰壁１上の所定位置に立設したならば、左右に隣り合う手摺支柱２，２間に上枠３及び下枠４を連結し、上下枠３，４に中枠７を介装する。図２に示すように、上枠３は、上枠本体３ａとこれに室内側から嵌め込まれる押え枠３ｂとからなるもので、上枠本体３ａの手摺りガラス嵌合溝３ｏには室外側シール材１６ａが取り付けられ、押え枠３ｂには室内側シール材１６ｂが取り付けられる。この上枠３の左右各端部を手摺支柱２の支柱本体８に連結するには、Ｌ字形連結板２９の一方の板部２９ａを支柱本体８にビスａ止めし、他方の板部２９ｂを上枠３の端部にビスａ止めすこることにより連結する。また、下枠４は、下枠本体４ａと押え枠４ｂとからなるもので、下枠本体４ａの手摺りガラス嵌合溝４ｏには室外側シール材１６ａが取り付けられ、押え枠４ｂには室内側シール材１６ｂが取り付けられる。この下枠４の左右各端部を手摺支柱２の支柱本体８に連結するには、Ｌ字形連結板３０の一方の板部３０ａを支柱本体８にビスａ止めし、他方の板部３０ｂを下枠４の端部下面にビスａ止めすることにより連結する。
【００２６】
また中枠７は、図１の(b) に示すように、左右両側面部に手摺りガラス嵌合溝３１，３１を有し、各手摺りガラス嵌合溝３１の室外側に室外側シール材１６ａが取り付けられ、その室内側に室内側シール材１６ｂが取り付けられる。そして、この中枠７の上下端部を上下枠３，４に連結するには、図示は省略するが、上枠３の上枠本体３ａから中枠７のビスホール３３にビスをねじ込み、また下枠４の下枠本体４ａから中枠７のビスホール３３にビスをねじ込むことにより連結する。
【００２７】
その後、手摺り笠木６を各手摺支柱２の頂部に掛け渡す。この手摺り笠木６は、図２に示すように、取付基枠６ｂとこれに係嵌して取り付けられる笠木本体６ａとからなるもので、取付基枠６ｂを支柱本体８の頂部に載置して、ビス１８を支柱本体８のビスホール１９にねじ込むことにより、取付基枠６ｂを支柱本体８に固定した後、笠木本体６ａを取付基枠６ｂに係嵌して固定する。
【００２８】
上記のように、隣り合う手摺支柱２，２間に上枠３の上枠本体３ａ及び下枠４の下枠本体４ａを連結し、上枠本体３ａと下枠本体４ａとの間に中枠７を取り付け、各手摺支柱２の頂部にわたって手摺り笠木６を掛け渡した後、手摺りガラス５の上下端部を、上枠本体３ａの手摺りガラス嵌合溝３ｏと下枠本体４ａの手摺りガラス嵌合溝４ｏとに対し上下検鈍式に嵌合させると共に、手摺りガラス５の左右両端部を、支柱本体８の手摺りガラス嵌合溝９と中枠７の手摺りガラス嵌合溝３１とに対して左右検鈍式に嵌め込む。それから、上枠３の押え枠３ｂを室内側より上枠本体３ａに嵌め込み、下枠４の押え枠４ｂを下枠本体４ａに嵌め込むことによって、手摺りガラス５を固定する。尚、下枠４の手摺りガラス嵌合溝４ｏ内にはセッティングブロック３４を配置しておいて、このブロック３４上に手摺りガラス５を載置する。
【００２９】
上記のように、隣り合う手摺支柱２，２と上下枠３，４と中枠７との間に手摺りガラス５を嵌め込んで固定した後、図１の(b) 及び図２に示すように、手摺りガラス５の室内側周縁部と、支柱本体８側の室内側シール材１６ｂ、上下枠３，４側の室内側シール材１６ｂ及び中枠７側の室内側シール材１６ｂとの間に夫々ペースト状のシール材１６ｃを装填する。
【００３０】
以上説明したような手摺りＴの取付構造によれば、手摺支柱２の支柱本体８を嵌合させるホルダー部１０とこのホルダー部１０の下端から突出する棒状アンカー部材１１とからなる支柱取付用アンカーＫを設け、このアンカーＫの棒状アンカー部材１１の下端部を堰壁１に固着し、支柱本体８を支柱取付用アンカーＫのホルダー部１０に嵌合固定し、隣り合う手摺支柱２，２間に配置した手摺りガラス５の左右側端部を支柱本体８の手摺りガラス嵌合溝９に嵌合するようにしたから、支柱取付用アンカーＫを堰壁１に固着した後であっても、支柱本体８をホルダー部１０に対し適宜上下動させて固定することにより、手摺支柱２の高さ調整が可能となる。
【００３１】
また、手摺支柱２は、前後側壁８ａ，８ａと左右側壁８ｂ，８ｂとからなる中空角筒状の支柱本体８を有し、この支柱本体８の左右側壁８ｂ，８ｂの少なくとも片方の側壁８ｂに手摺りガラス嵌合溝９を凹設しているから、手摺りガラス５を隣り合う手摺支柱２，２と上下枠３，４との間に嵌装するにあたって、従来のように手摺支柱の左右側面に手摺りガラス嵌合枠を取り付ける必要がなく、手摺りガラス５の左右両端部は、隣り合う支柱本体８，８の手摺りガラス嵌合溝９，９にそのまま嵌合させればよいため、手摺りガラス５の取付作業を迅速容易に行うことができる。
【００３２】
また、支柱取付用アンカーＫのホルダー部１０は、図３から分かるように、一対の太軸部２０，２０と両太軸部２０，２０をつなぐ板状部２１とで形成され、ホルダー部１０の左右側面には両太軸部２０，２０と板状部２１とによって支柱本体８の手摺りガラス嵌合溝９に対応する凹条部３２が形成され、そしてホルダー部１０の前後側面１０ａ，１０ａが支柱本体８の前後側壁８ａ，８ａ内面に当接支持されるようになっているから、支柱本体８をホルダー部１０に嵌合固定させる時に支柱本体８がホルダー部１０に対しガタつくようなことなく、的確に安定良く嵌合固定することができる。そして、各太軸部２０にはボルトからなる棒状アンカー部材１１を圧入的に螺嵌するための圧入螺嵌溝２２が全長に亘って形成されているから、棒状アンカー部材１１をホルダー部１０に圧入螺嵌させることにより、棒状アンカー部材１１をホルダー部１０に対して強固に一体的に固定させることができると共に、ホルダー部１０の下端から棒状アンカー部材１１を必要な長さだけ突出させることができ、またその突出長さを変更調整することができる。尚、ボルトからなる棒状アンカー部材１１を圧入螺嵌溝２２に圧入螺嵌するには、圧入ねじ込み機を用いて行う。
【００３３】
また、手摺支柱２は、図１の(b) 及び図５の(a) ，(b) から分かるように、中空角筒状支柱本体８と、支柱本体８の中空部に形成される支柱取付用アンカー嵌合部１５と、手摺りガラス嵌合溝９と、手摺りガラス５に水密当接する室外側及び室内側シール材１６ａ，１６ｂを嵌合するシール材嵌合溝１７，１７と、支柱本体８を手摺り笠木６（上枠）にビス１８止めするためのビスホール１９とからなるもので、手摺りガラス５の取付けにあたっては、シール材嵌合溝１７，１７に室外側及び室内側シール材１６ａ，１６ｂを嵌合しておけば、後は手摺りガラス嵌合溝９に手摺りガラス５の左右端部を挿入すればよいから、手摺りガラス５の取付作業が容易となり、また支柱本体８に手摺り笠木６（上枠）を取り付ける場合には、その手摺り笠木６側からビス１８を支柱本体８のビスホール１９にねじ込めばよいから、手摺り笠木６の取付けが容易となる。
【符号の説明】
【００３４】
Ｔ            手摺り
１            堰壁
２            手摺支柱
３            上枠
４            下枠
８            支柱本体
８ａ          支柱本体の前後側壁
８ｂ          支柱本体の左右側壁
９            手摺りガラス嵌合溝
１０          ホルダー部
１１          棒状アンカー部材
Ｋ            支柱取付用アンカー
【図１】
0005448947.tif 000002
【図２】
0005448947.tif 000003
【図３】
0005448947.tif 000004
【図４】
0005448947.tif 000005
【図５】
0005448947.tif 000006
【図６】
0005448947.tif 000007
【図７】
0005448947.tif 000008
【図８】
0005448947.tif 000009